(57)【要約】【課題】大型サイズでありながらも、組立時に余分なゴミが出ず、また設置時には２面告知を可能とした新規な店頭広告体を提供すること。【解決手段】角筒状に組み立てられて支柱とすることが可能な偏平状のケース部１０と、ケース部１０における底板部分の一部にその中央部分のところで取り付けられ支柱の前面側で起立可能な三つ折りの前面パネル２０と、前面パネル２０の下端に連設して取り付けられ台座の役目を果たす底板パネル３０と、底板パネル３０に取り付けられ支柱の背面側で起立可能でかつ折畳み可能な背面パネル４０と、起立した背面パネル４０を支柱に固定するために背面パネル４０の裏側に取り付けられた固定用パネル５０とからなり、これら４つのパネルは、前面パネル２０が三つ折り状態で、且つ背面パネル４０が固定用パネル５０とともに複数箇所で折り畳まれた状態で、ケース部により梱包されるようになっている。【選択図】図６
0003130015.tif 000002
【実用新案登録請求の範囲】
【請求項１】
角筒状に組み立てられて支柱とすることが可能な偏平状のケース部と、ケース部における底板部分の一部にその中央部分のところで取り付けられ支柱の前面側で起立可能な三つ折りの前面パネルと、前面パネルの下端に連設して取り付けられ台座の役目を果たす底板パネルと、底板パネルに取り付けられ支柱の背面側で起立可能でかつ折畳み可能な背面パネルと、起立した背面パネルを支柱に固定するために背面パネルの裏側に取り付けられた固定用パネルとからなり、前面パネル、底板パネル、背面パネル及び固定用パネルの４つは、前面パネルが三つ折り状態で、且つ背面パネルが固定用パネルとともに複数箇所で折り畳まれた状態で、ケース部により梱包されるようになっていることを特徴とする店頭広告体。
【考案の詳細な説明】
【技術分野】
【０００１】
本考案は、店頭にて使用する広告体の技術分野に属し、詳しくは店頭における目立つ場所に立てた状態で設置する店頭広告体に関するものである。
【背景技術】
【０００２】
従来より、店頭にて使用する広告体として、タレントなどの有名人やキャラクターを描いた等身大のパネルが利用されている。また、商品自体やその他の広告などを大きく表示したパネルも利用されている。このような大型のパネルからなる店頭広告体は、多くの場合、店頭における目立つ場所に自立状態で設置されるようになっている。
【特許文献１】特開平１１−３５２９１３号公報
【考案の開示】
【考案が解決しようとする課題】
【０００３】
上記したような大型のパネルからなる店頭広告体は、有名人やキャラクターが店頭に立っているように見えるため、多くの人目を引くことで大きな販促効果を発揮する。しかしながら、使用するパネル自体が大きいため、特に搬送等の取扱いが簡単ではない。通常は、折り畳んで段ボールや袋に収納した状態とするか、あるいはそのまま袋に入れた状態にして搬送し、店頭にて取り出してから、必要に応じて組み立てるようにしている。
【０００４】
ところが、上述の如くパネルの保護のために段ボールや袋に入れて搬送すると、店頭での組立時にこれらの梱包材がゴミになるという問題点がある。また、パネルを立てる構成であって表示面が一面であるため、背面が見えるような設置状況の場合だと、見苦しいという問題がある。また、背面スペースが広告として有効に利用されていないという問題点もある。
【０００５】
本考案は、上記のような事情に鑑みてなされたものであり、その目的とするところは、大型サイズでありながらも、組立時に余分なゴミが出ず、また設置時には２面告知を可能とした新規な店頭広告体を提供することにある。
【課題を解決するための手段】
【０００６】
上記の目的を達成するため、本考案の店頭広告体は、角筒状に組み立てられて支柱とすることが可能な偏平状のケース部と、ケース部における底板部分の一部にその中央部分のところで取り付けられ支柱の前面側で起立可能な三つ折りの前面パネルと、前面パネルの下端に連設して取り付けられ台座の役目を果たす底板パネルと、底板パネルに取り付けられ支柱の背面側で起立可能でかつ折畳み可能な背面パネルと、起立した背面パネルを支柱に固定するために背面パネルの裏側に取り付けられた固定用パネルとからなり、前面パネル、底板パネル、背面パネル及び固定用パネルの４つは、前面パネルが三つ折り状態で、且つ背面パネルが固定用パネルとともに複数箇所で折り畳まれた状態で、ケース部により梱包されるようになっていることを特徴としている。
【考案の効果】
【０００７】
本考案の店頭広告体は、構成する４つのパネルがケース部に梱包されており、支柱となるケース部、表示部となる前面パネルと背面パネル、背面パネルを支柱に固定するための固定用パネルの全パーツが一体化しているので、これらのパーツを組み立てて、適宜設けたスリットやマジックテープ（登録商標）で固定するだけで、簡単に組み立てることができ、しかも別の梱包用段ボールを使用する必要がないことから、組立時に余分なゴミを出すということがない。そして、出来上がった広告体は、前面パネルと背面パネルを備えており、２面告知が可能なものになっている。
【考案を実施するための最良の形態】
【０００８】
以下、図面を参照して本考案の実施の形態を説明する。
【０００９】
図１は本考案に係る店頭広告体の一例を広げた状態で示す斜視図、図２と図３は図１に示す店頭広告体の製造手順を説明するための斜視図であり、図１の店頭広告体は、図２と図３に分解状態で示すように、ケース部１０、前面パネル２０、底板パネル３０、背面パネル４０、固定用パネル５０とからなる。
【００１０】
ケース部１０は段ボールからなり、図２に示すように、矩形状をした底板部分１１の周囲４辺にそれぞれに幅板を介して折曲げ部分１２，１３、下蓋部分１４、上蓋部分１５が連設しており、これらにより偏平状の箱を形成するようになっている。このケース部１０には、下蓋部分１４、底板部分１１、上蓋部分１５の中程を縦断して２本の折線ａ，ｂが設けられている。さらに、下蓋部分１４、底板部分１１の両サイド寄りの位置を縦断して図示の如くテーパーの付いた折線ｃ，ｄが設けられており、これらの折線ｃ，ｄは上蓋部分１５の側辺に繋がるように形成されている。そして、ケース部１０は、４本の折線ａ〜ｄで角筒状に折り曲げ、折曲げ部分１２，１３を重ね合わせてマジックテープ（登録商標）により固定することで支柱となり、しかも下蓋部分１４側よりも上蓋部分１５側が大きくなった形状となる。なお、マジックテープ（登録商標）は折曲げ部分１２，１３における適宜の部位に予め取り付けておく。
【００１１】
前面パネル２０は厚板紙からなり、図２に示すように、横断する２本の折線ｅ，ｆにより上側部分２１、中央部分２２、下側部分２３に区画されて三つ折り可能となっている。図２では前面パネル２０の裏側が見えており、見えていない表側には絵柄や文字などからなる宣伝表示が印刷されている。この前面パネル２０における上側部分２１、中央部分２２、下側部分２３はそれぞれケース部１０の底板部分１１よりも小さなサイズになっている。そして、図２に示すように、前面パネル２０の中央部分２２における点線で示す矩形領域に、ケース部１０の底板部分１１における２本の折線ａ，ｂで挟まれた領域が接着されることによって前面パネル２０の裏側にケース部１０が取り付けられている。また、前面パネル２０の上側部分２１には段ボール製の固定部材２４が糊代片２４ａで取り付けられている。
【００１２】
底板パネル３０は段ボールからなる矩形状のもので、その大きさはケース部１０の底板部分１１より小さなサイズ、すなわち、横方向の長辺側は僅かに短く、縦方向の短辺側は少し余裕をもった状態で短くなるように設定されている。この底板パネル３０は、前面パネル１０の下端部に連設して取り付けられており、組立状態では台座の役目を果たすようになっている。また、底板パネル３０における前面パネル１０の反対側には背面パネル４０が取り付けられている。
【００１３】
底面パネル３０と前面パネル１０を連設するため、図２に示すように、前面パネル２０における下側部分２３の下端部と底板パネル３０における点線で示す山形領域に跨がって接続パネル３１が接着されている。この接続パネル３１には前面パネル２０と反対側に固定片３１ａが突設されており、この固定片３１ａは背面パネル４０の下端部の上に覆いかぶさるようになっている。
【００１４】
背面パネル４０は厚板紙からなり、全体の長さは前面パネル２０と同じ程度で、図３に示すように、横断する３本の折線ｇ，ｈ，ｉにより上端部分４１、上半部分４２、下半部分４３、下端部分４４に区画されて四つ折り可能となっている。図３では背面パネル４０の裏側が見えており、見えていない表側には絵柄や文字などからなる宣伝表示が印刷されている。この背面パネル４０における上端部分４１、上半部分４２、下半部分４３、下端部分４４はそれぞれケース部１０の底板部分１１よりも小さなサイズになっている。そして、図示の如く下端部分４４の先端に折曲げ部分４５が設けられており、背面パネル４０はその折曲げ部分４５により底板パネル３０に接着されている。また、背面パネル４０の上端部分４１には段ボール製の固定部材４６が糊代片４６ａで取り付けられている。
【００１５】
固定用パネル５０は厚板紙からなる矩形状のもので、縦方向は底面パネル４０の上半部分４２と下半部分４３とを足した長さより少し短い長さであり、横方向は底板パネル３０と同様の長さである。そして、固定用パネル５０は、中程を縦断する２本の折線ｊ，ｋにより中板部分５１とその両側の側板部分５２，５３とに区画されている。これらの折線ｊ，ｋはケース部１０の折線ａ，ｂの間隔より僅かに狭い間隔を形成するようにして設けられている。また、固定用パネル５０には、中程を横断して３本の折線ｌ，ｍ，ｎが設けられており、中板部分５１において折線ｌと折線ｎとで囲まれる部分に開口５１ａが形成されている。そして、図３に示すように、背面パネル４０の上半部分４２と下半部分４３における点線で示す矩形領域に、固定用パネル５０の中板部分５１における折線ｌ，ｎで挟まれた領域以外のところが接着されることによって背面パネル４０の裏側に固定用パネル５０が取り付けられている。
【００１６】
図１に示す店頭広告体は、搬送するに際し、図４に示すように、ケース部１０の中に前面パネル２０、底板パネル３０、背面パネル４０及び固定用パネル５０を収納した状態で梱包される。その梱包手順は次のとおりである。
【００１７】
まず、図１に示す状態から全体を裏返した後、背面パネル４０を折線ｇ，ｈ，ｉのところでＷ状に折り畳み、底板パネル３０の裏側に畳み込む。この時、背面パネル４０が折線ｈのところで突き出るが、固定用パネル５０は折線ｌ，ｍ，ｎの所で逆向きに折れるので簡単に折り畳むことができる。次いで、前面パネル２０の上側部分２１を内側に折り返して中央部分２２の上に載せ、続いて、底板パネル３０の固定片３１ａを邪魔にならいなように折り返した状態で、前面パネル２０の下側部分２３を底板パネル３０、背面パネル４０及び固定用パネル５０とともに折り返して上側部分２１の上に載せる。このようにケース部１０の底板部分１１の上にケース部以外の全てのパーツが載った状態としてから、ケース部１０の折曲げ部分１２，１３、下蓋部分１４、上蓋部分１５を順次折り曲げて互いに重ね合わせ、マジックテープ（登録商標）により固定して梱包状態とする。なお、マジックテープ（登録商標）は適宜の部位に予め取り付けておく。
【００１８】
このようにして、店頭広告体は、前面パネル２０が三つ折り状態となり、且つ背面パネル４０が固定用パネル５０とともに四つ折り状態となって梱包される。梱包した店頭広告体は、そのまま店頭における展示場所まで搬送することができる。そして、店頭において梱包を解いて組み立てることで、図５に示す展示状態にするものである。その組立手順は次のとおりである。
【００１９】
まず、梱包を開いて図１に示す展開状態としてから、底板３０の上に立つようにしてケース部１０により支柱を組み立てるとともに前面パネル２０を起立させる。具体的には、ケース部１０を前面パネル２０とともに底板パネル３０に対して起立させた後、ケース部１０をその４本の折線ａ〜ｄで角筒状に折り曲げ、折曲げ部分１２，１３を重ね合わせてマジックテープ（登録商標）により固定する。そして、底板パネル３０の固定片３１ａを起こしてその先端にあるスリットを上蓋部分１５のスリットに差し込んで固定し、さらに、前面パネル２０の上側部分２１に取り付けてある固定部材２４を起こしてその先端にあるスリットを下蓋部分１４のスリットに差し込んで固定する。これにより、図６に示すように、支柱の前面側に前面パネル２０が起立した状態となる。
【００２０】
次いで、支柱の背面側に背面パネル４０を起立させる。具体的には、図６に示す状態から、背面パネル４０を底板パネル３０に対し固定用パネル５０とともに起こし、固定用パネル５０の側板部分５２，５３を折線ｊ，ｋで折り曲げ、支柱の側面に重ね合わせてマジックテープ（登録商標）により固定する。なお、このマジックテープ（登録商標）も適宜の部位に予め取り付けておく。そして、背面パネル４０の上端部分４１に取り付けてある固定部材４６を起こしてその先端にあるスリットを下蓋部分１４のスリットに差し込んで固定する。これにより、図７に示すように、支柱の背面側に背面パネル４０が起立した状態となる。
【００２１】
これにより梱包状態で運ばれてきた店頭広告体は展示状態となり、店頭における適宜の場所に設置される。そして、出来上がった広告体は、前面パネル２０と背面パネル４０を備えており、２面告知が可能になっている。また、組立に際しては、適宜設けられたスリット、マジックテープ（登録商標）で固定するだけで簡単に組み立てることができ、他の包装材を使用していないので、余計なゴミを出すこともない。
【００２２】
以上、本考案の実施の形態について詳細に説明してきたが、本考案による店頭広告体は、上記実施の形態に何ら限定されるものではなく、本考案の趣旨を逸脱しない範囲において種々の変更が可能であることは当然のことである。
【図面の簡単な説明】
【００２３】
【図１】本考案に係る店頭広告体の一例を広げた状態で示す斜視図である。
【図２】図１に示す店頭広告体の製造手順を説明するための斜視図である。
【図３】同じく図１に示す店頭広告体の製造手順を説明するための斜視図である。
【図４】図１の店頭広告体を梱包状態で示す斜視図である。
【図５】図１の店頭広告体を展示状態で示す斜視図である。
【図６】図１に示す店頭広告体の組立手順を説明するための斜視図である。
【図７】同じく図１に示す店頭広告体の組立手順を説明するための斜視図である。
【符号の説明】
【００２４】
１０  ケース部
１１  底板部分
１２，１３  折曲げ部分
１４  下蓋部分
１５  上蓋部分
２０  前面パネル
２１  上側部分
２２  中央部分
２３  下側部分
２４  固定部材
２４ａ  糊代片
３０  底板パネル
３１  接続パネル
３１ａ  固定片
３２  取付部
４０  背面パネル
４１  上端部分
４２  上半部分
４３  下半部分
４４  下端部分
４５  折曲げ部分
４６  固定部材
４６ａ  糊代片
５０  固定用パネル
５１  中板部分
５１ａ  開口
５２，５３  側板部分
ａ〜ｎ  折線
【図１】
0003130015.tif 000003
【図２】
0003130015.tif 000004
【図３】
0003130015.tif 000005
【図４】
0003130015.tif 000006
【図５】
0003130015.tif 000007
【図６】
0003130015.tif 000008
【図７】
0003130015.tif 000009